(57)【要約】【課題】ユーザの手間を要することなく、ファイルデータの内容を把握可能なファイル名を付与できる技術を実現すること。【解決手段】スケジュールの内容を示す内容情報１１１Ｂ及び当該スケジュールの実行日時を示す時間情報１１１Ａを含むスケジュールデータ１１１を記録する記録部１４と、録音ファイルデータ及び当該録音ファイルデータの記録時間を示す記録時間情報を取得するシステムマイコン１１と、システムマイコン１１により取得された記録時間情報と記録部１４に記録されたスケジュールデータとを参照し、記録時間情報の時間範囲の全部又は一部が時間情報１１１Ｂと重複する場合、取得された録音ファイルデータのファイル名に内容情報１１１Ｂを付与し、当該ファイル名が付与された録音ファイルデータを記録部１４に記録させるシステムマイコン１１と、を備える。【選択図】図１
2010129122.tif 000002
【特許請求の範囲】
【請求項１】
スケジュールの内容を示す内容情報及び当該スケジュールの実行日時を示す時間情報を含むスケジュールデータを記録するスケジュールデータ記録手段と、
ファイルデータ及び当該ファイルデータの記録時間を示す記録時間情報を取得する情報取得手段と、
前記情報取得手段により取得された記録時間情報と前記スケジュールデータ記録手段に記録されたスケジュールデータとを参照し、前記記録時間情報の時間範囲の全部又は一部が前記時間情報と重複する場合、前記取得手段により取得されたファイルデータのファイル名に前記内容情報を付与し、当該ファイル名が付与された前記ファイルデータを記録媒体に記録させる制御手段と、
を備えることを特徴とする記録装置。
【請求項２】
前記記録時間情報は、記録開始時間を示す記録開始時間情報を含み、
前記制御手段は、
前記記録時間情報の時間範囲の全部又は一部が前記時間情報と重複しない場合、前記取得手段により取得されたファイルデータのファイル名に前記開始時間情報を付与し、当該ファイル名が付与された前記ファイルデータを前記記録媒体に記録させることを特徴とする請求項１に記載の記録装置。
【請求項３】
前記ファイルデータ及び前記記録時間情報を記録する外部装置と通信を行う通信手段を備え、
前記情報取得手段は、
前記通信手段を介して前記ファイルデータ及び前記記録時間情報を前記外部装置から取得することを特徴とする請求項１に記載の記録装置。  
【請求項４】
前記記録時間情報は、記録開始時間を示す記録開始時間情報を含み、
前記情報取得手段は、
前記開始時間情報がファイル名として付与された前記ファイルデータを取得し、
前記制御手段は、
前記記録時間情報の時間範囲の全部又は一部が前記時間情報と重複しない場合、前記取得手段により取得されたファイルデータを前記記録媒体に記録させることを特徴とする請求項３に記載の記録装置。
【請求項５】
スケジュールデータ記録手段が、スケジュールの内容を示す内容情報及び当該スケジュールの実行日時を示す時間情報を含むスケジュールデータを記録するスケジュールデータ記録工程と、
情報取得手段が、ファイルデータ及び当該ファイルデータの記録時間を示す記録時間情報を取得する情報取得工程と、
制御手段が、前記情報取得工程により取得された記録時間情報と前記スケジュールデータ記録工程により記録されたスケジュールデータとを参照し、前記記録時間情報の時間範囲の全部又は一部が前記時間情報と重複する場合、前記取得工程により取得されたファイルデータのファイル名に前記内容情報を付与し、当該ファイル名が付与された前記ファイルデータを記録媒体に記録させる制御工程と、
を含むことを特徴とする記録方法。
【請求項６】
コンピュータを、
スケジュールの内容を示す内容情報及び当該スケジュールの実行日時を示す時間情報を含むスケジュールデータを記録するスケジュールデータ記録手段、
ファイルデータ及び当該ファイルデータの記録時間を示す記録時間情報を取得する情報取得手段、
前記情報取得手段により取得された記録時間情報と前記スケジュールデータ記録手段に記録されたスケジュールデータとを参照し、前記記録時間情報の時間範囲の全部又は一部が前記時間情報と重複する場合、前記取得手段により取得されたファイルデータのファイル名に前記内容情報を付与し、当該ファイル名が付与された前記ファイルデータを記録媒体に記録させる制御手段、
として機能させるための記録プログラム。
【発明の詳細な説明】
【技術分野】
【０００１】
本発明は、記録装置、記録方法及び記録プログラムに関する。
【背景技術】
【０００２】
近年、録音機能を有するボイスレコーダやＰＣＭレコーダ等の携帯型のデジタルオーディオプレーヤー（以下、ＤＡＰ）が普及している。
【０００３】
一般的に、録音により生成されたファイルデータは、ＤＡＰにおいて録音した日時（録音日時）に基づくファイル名を付与されてＤＡＰの記憶媒体に記録される。
【０００４】
また、ＤＡＰの記憶媒体は、記憶容量に限りがあるため、録音により生成されたファイルデータは他の記憶媒体（例えば、外部装置の記憶媒体等）に移される場合もある。この場合、ＤＡＰから他の記憶媒体へファイルデータをそのままコピー又は移動すると、ファイルデータのファイル名は、録音日時に基づくファイル名のまま記録される。
【０００５】
また、録音ファイルのファイル名と分類情報（ジャンルの分類情報）とを対応付けて保存することにより、録音ファイルの検索性の向上を図る技術が知られている（例えば、特許文献１参照）。また、オーディオ装置に記録されているデータが転送対象のデータの所定条件を満たす場合、当該データをＵＳＢメモリに転送することにより、操作負担を軽減する技術が知られている（例えば、特許文献２参照）。
【特許文献１】特開２００８−１０８０６０号公報
【特許文献２】特開２００８−２２５５１７号公報
【発明の開示】
【発明が解決しようとする課題】
【０００６】
しかしながら、ＤＡＰの記憶媒体（又は他の記憶媒体）へ録音日時に基づくファイル名のままファイルデータが記録されると、ユーザは、ファイルデータの内容を把握することができない。この場合、ユーザは、ファイルデータを一度再生し、ファイルデータの内容を確認する作業を行わなければならない。さらに、ユーザは、確認した内容に基づいて、ファイル名をファイルデータの内容が把握可能なファイル名に変更する入力作業を行わなければならない。
このため、ファイルデータの内容を把握可能なファイル名を付与するために、ユーザは手間を要していた。
【０００７】
本発明の課題は、ユーザの手間を要することなく、ファイルデータの内容を把握可能なファイル名を付与できる技術を実現することである。
【課題を解決するための手段】
【０００８】
上記課題を解決するため、請求項１に記載の発明の記録装置は、
スケジュールの内容を示す内容情報及び当該スケジュールの実行日時を示す時間情報を含むスケジュールデータを記録するスケジュールデータ記録手段と、
ファイルデータ及び当該ファイルデータの記録時間を示す記録時間情報を取得する情報取得手段と、
前記情報取得手段により取得された記録時間情報と前記スケジュールデータ記録手段に記録されたスケジュールデータとを参照し、前記記録時間情報の時間範囲の全部又は一部が前記時間情報と重複する場合、前記取得手段により取得されたファイルデータのファイル名に前記内容情報を付与し、当該ファイル名が付与された前記ファイルデータを記録媒体に記録させる制御手段と、
を備えることを特徴とする。
【０００９】
請求項２に記載の発明は、請求項１に記載の記録装置において、
前記記録時間情報は、記録開始時間を示す記録開始時間情報を含み、
前記制御手段は、
前記記録時間情報の時間範囲の全部又は一部が前記時間情報と重複しない場合、前記取得手段により取得されたファイルデータのファイル名に前記開始時間情報を付与し、当該ファイル名が付与された前記ファイルデータを前記記録媒体に記録させることを特徴とする。
【００１０】
請求項３に記載の発明は、請求項１に記載の記録装置において、
前記ファイルデータ及び前記記録時間情報を記録する外部装置と通信を行う通信手段を備え、
前記情報取得手段は、
前記通信手段を介して前記ファイルデータ及び前記記録時間情報を前記外部装置から取得することを特徴とする。  
【００１１】
請求項４に記載の発明は、請求項３に記載の記録装置において、
前記記録時間情報は、記録開始時間を示す記録開始時間情報を含み、
前記情報取得手段は、
前記開始時間情報がファイル名として付与された前記ファイルデータを取得し、
前記制御手段は、
前記記録時間情報の時間範囲の全部又は一部が前記時間情報と重複しない場合、前記取得手段により取得されたファイルデータを前記記録媒体に記録させることを特徴とする。
【００１２】
請求項５に記載の発明の記録方法は、
スケジュールデータ記録手段が、スケジュールの内容を示す内容情報及び当該スケジュールの実行日時を示す時間情報を含むスケジュールデータを記録するスケジュールデータ記録工程と、
情報取得手段が、ファイルデータ及び当該ファイルデータの記録時間を示す記録時間情報を取得する情報取得工程と、
制御手段が、前記情報取得工程により取得された記録時間情報と前記スケジュールデータ記録工程により記録されたスケジュールデータとを参照し、前記記録時間情報の時間範囲の全部又は一部が前記時間情報と重複する場合、前記取得工程により取得されたファイルデータのファイル名に前記内容情報を付与し、当該ファイル名が付与された前記ファイルデータを記録媒体に記録させる制御工程と、
を含むことを特徴とする。
【００１３】
請求項６に記載の発明の記録プログラムは、
コンピュータを、
スケジュールの内容を示す内容情報及び当該スケジュールの実行日時を示す時間情報を含むスケジュールデータを記録するスケジュールデータ記録手段、
ファイルデータ及び当該ファイルデータの記録時間を示す記録時間情報を取得する情報取得手段、
前記情報取得手段により取得された記録時間情報と前記スケジュールデータ記録手段に記録されたスケジュールデータとを参照し、前記記録時間情報の時間範囲の全部又は一部が前記時間情報と重複する場合、前記取得手段により取得されたファイルデータのファイル名に前記内容情報を付与し、当該ファイル名が付与された前記ファイルデータを記録媒体に記録させる制御手段、
として機能させることを特徴とする。
【発明の効果】
【００１４】
本発明によれば、ユーザの手間を要することなく、ファイルデータの内容を把握可能なファイル名を付与できる技術を実現することができる。
【発明を実施するための最良の形態】
【００１５】
以下、添付図面を参照して本発明に係る実施の形態を詳細に説明する。ただし、発明の範囲は、図示例に限定されない。
【００１６】
（第１の実施の形態）
図１〜図３を参照して、本発明に係る第１の実施の形態を説明する。先ず、図１を参照して本実施の形態に係る記録装置１の装置構成について説明する。
【００１７】
記録装置１は、録音機能を有するＤＡＰである。記録装置１は、情報取得手段、制御手段としてのシステムマイコン１１と、表示部１２と、操作部１３と、スケジュールデータ記録手段としての記録部１４と、入出力端子部１５と、セレクター１６と、ＡＤＣ（Analog digital converter）１７と、ＤＳＰ（Digital Signal Processor）１８と、ＤＡＣ（Digital analog converter）１９と、アンプ部２０と、出力端子部２０ａと、を備えて構成される。
【００１８】
システムマイコン１１は、ＣＰＵ（Central  Processing  Unit）と、ＲＯＭ（Read  Only  Memory）と、ＲＡＭ（Random  Access  Memory）と（以上、図示省略）、を備える。
【００１９】
ＣＰＵは、各部を中央制御する。ＲＯＭは、情報を読み出し可能なメモリであり、特に、後述する第１の記録プログラム、第２の記録プログラムを記憶する。ＲＡＭは、格納する揮発性のメモリであり、各種プログラム及び各種データを展開するワークエリアを有する。
【００２０】
システムマイコン１１は、ＲＯＭに記憶されているシステムプログラム及び各種アプリケーションプログラムの中から指定されたプログラムやＲＡＭに記憶されたデータを読み出して当該ＲＡＭに展開し、ＲＡＭに展開されたプログラムやデータとＣＰＵとの協働で、各種処理を実行する。
【００２１】
システムマイコン１１は、第１の記録プログラムにより、ファイルデータ（録音ファイルデータ）及び当該録音ファイルデータの記録時間を示す記録時間情報を取得し、当該取得された記録時間情報と記録部１４に記録に記録されたスケジュールデータ１１１とを参照し、記録時間情報の時間範囲の全部又は一部が時間情報１１１Ａと重複する場合、取得された録音ファイルデータのファイル名に内容情報１１１Ｂを付与し、当該ファイル名が付与された録音ファイルデータを記録部１４に記録させる。
【００２２】
表示部１２は、ＬＣＤ（Liquid Crystal Display）等により構成され、システムマイコン１１から入力される表示信号に基づいて、表示情報の表示動作を行う。
【００２３】
操作部１３は、再生キー、停止キー、サーチキー等の各種入力キーを備え、その押下信号をシステムマイコン１１に出力する。
【００２４】
記録部１４は、メモリカード１４Ａ、ＵＳＢ（Universal Serial Bus）メモリ１４Ｂ、ＨＤＤ（Hard Disk Drive）１４Ｃ、内蔵メモリ１４Ｄなどの記憶媒体を有する構成であり、システムマイコン１１の指示により、各種データを上述した記憶媒体に記録する。具体的には、記録部１４には、後述するスケジュールデータ１１１や録音ファイルデータが記録される。
なお、メモリカード１４Ａは、メモリスロット（図示省略）に介挿され、当該メモリスロットを介してデータの記録が行われる。また、ＵＳＢメモリ１４Ｂは、ＵＳＢスロット（図示省略）に接続され、当該ＵＳＢスロットを介してデータの記録が行われる。
【００２５】
入出力端子部１５は、マイク入力用のコネクタや外部装置と通信接続可能なコネクタなどを有し、外部からの音声データの入力やシステムマイコン１１からの指示信号の出力を行う。
【００２６】
セレクター１６は、入出力端子部１５から入力された音声データ（マイク入力された音声データや外部機器から入力された音声データ）の何れかを選択し、ＡＤＣ１７に出力する。
【００２７】
ＡＤＣ１７は、セレクター１６から出力される音声データをデジタルデータに変換して、ＤＳＰ１８に出力する。
【００２８】
ＤＳＰ１８は、高速のマイクロプロセッサであり、システムマイコン１１からの指示により、音声データの記録部１４への書き込み（記録）時や記録部１４に記録された音声データの読み出し（再生）時において、ＭＰ３（MPEG-1 Audio Layer-3）方式やＷＭＡ（Windows Media（登録商標） Audio）への圧縮／伸張の処理、エラー訂正符号化の処理、ＥＦＭ（Eight to Fourteen Modulation）変調処理等の各種デジタル信号処理を行う。
【００２９】
ＤＡＣ１９は、ＤＳＰ１８において処理された所定のデジタルデータをアナログデータに変換し、アンプ部２０に出力する。アンプ部２０は、ＤＡＣ１９より出力されたアナログデータを増幅する。
【００３０】
出力端子部２０ａは、イヤホンやヘッドホンと接続されるコネクタなどを有し、アンプ部２０から出力されたアナログデータをイヤホンやヘッドホンに出力する。
【００３１】
次に、図２を参照して、記録部１４に記録されるスケジュールデータ１１１について説明する。図２は、スケジュールデータ１１１が表示部１２に表示されたときの表示画面の一例を示した図である。図２に示すように、スケジュールデータ１１１は、スケジュールの実行日時を示す時間情報１１１Ａと、スケジュールの内容を示す内容情報１１１Ｂと、を有する。
【００３２】
具体的には、スケジュールデータ１１１は、ユーザにより操作部１３を介して操作入力される。例えば、「２００８年１２月１５日  １０：００〜１２：００」の時間情報１１１Ａと、「新商品企画会議」の内容情報１１１Ｂとがユーザにより操作部１３を介して操作入力される。そして、入力された時間情報１１１Ａと内容情報１１１Ｂとが関連付けられて記録部１４に記録される。なお、スケジュールデータ１１１は、入出力端子部１５を介して外部装置から転送され、当該転送されたスケジュールデータ１１１が記録部１４に記録されることとしてもよい。
【００３３】
次に、図３を参照して、記録装置１の動作について説明する。図３は、記録装置１で実行される第１の記録処理の流れを示した図である。第１の記録処理は、入出力端子部１５を介してマイク入力される音声データ（録音ファイルデータ）のファイル名に内容情報１１１Ｂを付与し、当該ファイル名が付与された録音ファイルデータを記録部１４に記録する処理である。
【００３４】
例えば、記録装置１において、第１の記録処理の実行指示が操作部１３を介して入力されたこと等をトリガとして、ＲＯＭから読み出されて適宜ＲＡＭに展開された第１の記録プログラムと、ＣＰＵとの協働により第１の記録処理が実行される。
【００３５】
予め、図２に示すスケジュールデータ１１１が記録部１４に記録されているものとする。
【００３６】
先ず、ユーザにより操作部１３を介して録音開始ボタンの押下が受け付けられたか否かに基づいて、録音ファイルデータの記録（録音）開始であるか否かが判別される（ステップＳ１１）。ステップＳ１１において、記録開始でないと判別された場合、（ステップＳ１１；ＮＯ）、ステップＳ１１に移行される。
【００３７】
ステップＳ１１において、記録開始であると判別された場合（ステップＳ１１；ＹＥＳ）、ユーザにより操作部１３を介して記録終了のボタンが押下されたか否かに基づいて、記録終了であるか否かが判別される（ステップＳ１２）。ステップＳ１２において、記録終了でないと判別された場合、ステップＳ１２に移行される。ステップＳ１２において、記録終了と判別された場合（ステップＳ１２；ＹＥＳ）、記録した時間範囲に重複するスケジュールがあるか否かが判別される（ステップＳ１３）。具体的には、録音ファイルデータの記録時間情報の時間範囲と時間情報１１１Ａとが参照され、記録時間情報の時間範囲の全部又は一部が時間情報１１１Ａと重複するか否かが判別される。
【００３８】
ここで、記録時間情報は、記録開始時間情報と、記録終了時間情報とを示す。例えば、ステップＳ１１で記録を開始した時間が２００８年１２月１５日１０：１８：３３（１０時１８分３３秒）であり、ステップＳ１２で記録を終了した時間が２００８年１２月１５日１０：５５：３３である場合、記録開始時間情報は「２００８年１２月１５日１０：１８：３３」、記録終了時間情報は「２００８年１２月１５日１０：５５：３３」となる。また、記録時間情報の時間範囲は「２００８年１２月１５日１０：１８：３３〜１０：５５：３３」となる。この場合、記録開始時間情報の時間範囲「２００８年１２月１５日１０：１８：３３〜１０：５５：３３」の全部が時間情報１１１Ａの時間範囲「２００８年１２月１５日  １０：００〜１２：００」と重複する。したがって、記録時間情報の時間範囲の全部が時間情報１１１Ａの時間範囲と重複する（ステップＳ１３；ＹＥＳ）と判別される。
【００３９】
また、記録時間情報の時間範囲が「２００８年１２月１５日  １４：５５：２１〜１５：３３：１５」である場合、記録時間情報の時間範囲の一部が時間情報１１１Ａ「２００８年１２月１５日  １５：００〜１７：００」と重複する。したがって、記録時間情報の時間範囲の一部が時間情報１１１Ａと重複する（ステップＳ１３；ＹＥＳ）と判別される。
また、記録時間情報が「２００８年１２月１５日  １３：４０：３３〜１４：０８：３７」である場合、記録時間情報の時間範囲の全部又は一部は、時間情報１１１Ａと重複しない。したがって、記録時間情報の時間範囲の全部又は一部が時間情報１１１Ａと重複しない（ステップＳ１３；ＮＯ）と判別される。
【００４０】
ステップＳ１３において、記録した時間範囲に重複するスケジュールがないと判別された場合（ステップＳ１３；ＮＯ）、ファイル名に記録開始時間情報が付与され、録音ファイルデータ（ファイルデータ）が生成される（ステップＳ１４）。例えば、記録開始時間情報が「２００８年１２月１５日１３：４０：３３」である場合、録音ファイルデータのファイル名に記録開始時間情報を示す「０８１２１５１３４０３３」が付与され、当該ファイル名が付与された録音ファイルデータが生成される。
【００４１】
ステップＳ１３において、記録した時間範囲に重複するスケジュールがあると判別された場合（ステップＳ１３；ＹＥＳ）、ファイル名に内容情報１１１Ｂが付与され、録音ファイルデータ（ファイルデータ）が生成される（ステップＳ１５）。例えば、記録開始時間情報の時間範囲が「２００８年１２月１５日１０：１８：３３〜１０：５５：３３」である場合、時間情報１１１Ａ「２００８年１２月１５日  １０：００〜１２：００」と重複する。この場合、録音ファイルデータのファイル名に、時間情報１１１Ａ「２００８年１２月１５日１０：００〜１２：００」と関連付けられた内容情報１１１Ｂ「新商品企画会議」が付与され、当該ファイル名が付与された録音ファイルデータが生成される。
【００４２】
このとき、録音ファイルデータ（録音ファイルデータＡとする）の記録時間情報と、録音ファイルデータＡよりも以前に録音された録音ファイルデータ（録音ファイルデータＢとする）の記録時間情報とが同じ時間情報１１１Ａに重複する場合も考えられる。例えば、録音ファイルデータＡの記録時間情報の時間範囲が「２００８年１２月１５日  １０：１８：３３〜１０：５５：３３」である場合、時間情報１１１Ａ「２００８年１２月１５日１０：００〜１２：００」と重複する。また、録音ファイルデータＢの記録時間情報の時間範囲が「２００８年１２月１５日  １０：１８：３３〜１０：５５：３３」である場合、同じく時間情報１１１Ａ「２００８年１２月１５日１０：００〜１２：００」と重複する。この場合、録音ファイルデータＢのファイル名には、例えば「新商品企画会議２」が付与され、当該ファイル名が付与された録音ファイルデータが生成される。
【００４３】
ステップＳ１４及びステップＳ１５の実行後、生成したファイルデータが記録部１４に記録される（ステップＳ１６）。そして、ステップＳ１６の実行後、第１の記録処理は終了される。
【００４４】
以上、本実施の形態によれば、記録時間情報の時間範囲の全部又は一部が時間情報と重複する場合、録音ファイルデータのファイル名に内容情報１１１Ｂを付与し、当該ファイル名が付与された録音ファイルデータを記録部１４に記録させる。このため、録音ファイルデータの内容を示すファイル名が録音ファイルデータに自動的に付与されるので、ユーザの手間を要することなく、録音ファイルデータの内容を把握可能なファイル名を付与することができる。
【００４５】
また、記録時間情報の時間範囲の全部又は一部が時間情報と重複しない場合、録音ファイルデータのファイル名に記録開始時間情報を付与して録音ファイルデータを記録部１４に記録させることができる。  
【００４６】
（第２の実施の形態）
図４〜図６を参照して、本発明に係る第２の実施の形態を説明する。先ず、図４を参照して、本実施の形態に係る記録装置１Ａの構成構成について説明する。
【００４７】
記録装置１Ａは、ＤＡＰ等の外部装置と通信接続が可能なオーディオ装置である。記録
装置１Ａは、取得手段、制御手段としてのシステムマイコン２１と、表示部２２と、操作部２３と、スケジュールデータ記録手段としての記録部２４と、通信手段としての入出力端子部２５と、チューナ部２６と、アンテナ２６ａと、セレクター２７と、ＡＤＣ２８と、ＤＳＰ２９と、ＤＡＣ３０と、アンプ部３１と、出力端子部３２と、音声出力部３３と、を備えて構成される。
【００４８】
システムマイコン２１、表示部２２、操作部２３、記録部２４、入出力端子部２５、セレクター２７、ＡＤＣ２８、ＤＳＰ２９、ＤＡＣ３０、アンプ部３１、出力端子部３２は、それぞれ、記録装置１のシステムマイコン１１、表示部１２、操作部１３、記録部１４、入出力端子部１５、セレクター１６、ＡＤＣ１７、ＤＳＰ１８、ＤＡＣ１９、アンプ部２０、出力端子部２０ａと同様である。以下、異なる部分を主として説明する。
【００４９】
システムマイコン２１は、第２の記録プログラムにより、入出力端子部２５を介して録音ファイルデータ及び記録時間情報をＤＡＰから取得し、当該取得された記録時間情報と記録部２４に記録に記録されたスケジュールデータ１１１とを参照し、記録時間情報の時間範囲の全部又は一部が時間情報１１１Ａと重複する場合、取得された録音ファイルデータのファイル名に内容情報１１１Ｂを付与し、当該ファイル名が付与された録音ファイルデータを記録部２４に記録させる。
【００５０】
チューナ部２６は、アンテナ２６ａを介して受信される放送波から、チューナ部２６の同調周波数帯において受信する放送波の周波数を調整し、放送局から送信される放送波の周波数に同調（放送波を選択）することで、放送信号の選択的な抽出を行う。そして、抽出した放送信号から音声信号を復調し、復調した音声信号（音声データ）をセレクター２７に出力する。
【００５１】
セレクター２７は、入出力端子部２５又はチューナ部２６から入力された音声データの何れかを選択し、ＡＤＣ２８に出力する。
【００５２】
音声出力部３３は、イヤホン、ヘッドホン又はスピーカ等で構成され、アナログ変換されたアナログデータの音声出力を行う。
【００５３】
次に、図５を参照して、記録装置１Ａと通信接続される外部装置（ＤＡＰ）の記録部（図示省略）に記録されているデータについて説明する。図５は、ＤＡＰに記録されているデータ構造を示した図である。具体的には、音楽ファイルデータが格納されているＦｏｌｄｅｒ１（音楽ファイルデータ用フォルダ）と、録音ファイルデータが記録されているＲＥＣＯＲＤ（録音ファイルデータ用フォルダ）とを有するデータ構造を示している。このとき、録音ファイルデータは、ＤＡＰに記録される際の記録開始時間情報を示すファイル名が付与される。例えば、記録開始時間情報が「２００８年１２月１５日１０：１８：３３」の場合、「０８１２１５１０１８３３．ｗａｖ」がファイル名として付与される。
【００５４】
次に、図６を参照して、記録装置１Ａの動作について説明する。図６は、記録装置１Ａで実行される第２の記録処理の流れを示した図である。第２の記録処理は、入出力端子部２５を介してＤＡＰから入力された録音ファイルデータのファイル名に内容情報１１１Ｂを付与し、当該ファイル名が付与された録音ファイルデータを記録部１４に記録する処理である。
【００５５】
例えば、記録装置１Ａにおいて、第２のデータ記録処理の実行指示が操作部２３を介して入力されたこと等をトリガとして、ＲＯＭから読み出されて適宜ＲＡＭに展開された第２の記録プログラムと、ＣＰＵとの協働により第２の記録処理が実行される。
【００５６】
予め、スケジュールデータ１１１が記録部２４に記録されているものとする。また、記録装置１Ａと通信接続されるＤＡＰに図５に示すデータ構造のデータが記録されているものとする。
【００５７】
先ず、入出力端子部２５を介してＤＡＰからコマンド（接続されたことを示すコマンド）を受け付けたか否かに基づいて、ＤＡＰが接続されたか否かが判別される（ステップＳ２１）。ステップＳ２１において、ＤＡＰが接続されていないと判別された場合（ステップＳ２１；ＮＯ）、ステップＳ２１に移行される。ステップＳ２１において、ＤＡＰが接続されていると判別された場合（ステップＳ２１；ＹＥＳ）、録音ファイルデータ用フォルダ内に録音ファイルデータがあるか否かが判別される（ステップＳ２２）。具体的には、入出力端子部２５を介して、ＤＡＰの記録部（図示省略）が参照され、録音ファイルデータ用フォルダ内に録音ファイルデータがあるか否かが判別される。
【００５８】
ステップＳ２２において、録音ファイルデータ用フォルダ内に録音ファイルデータがないと判別された場合（ステップＳ２２；ＮＯ）、第２の記録処理は終了される。ステップＳ２２において、録音ファイルデータ用フォルダ内に録音ファイルデータがあると判別された場合（ステップＳ２２；ＹＥＳ）、スケジュールデータがあるか否かが判別される（ステップＳ２３）。具体的には、記録部２４が参照され、スケジュールデータ１１１が記録されているかが判別される。
【００５９】
ステップＳ２３において、スケジュールデータがあると判別された場合（ステップＳ２３；ＹＥＳ）、録音ファイルデータの時間範囲に重複するスケジュールがあるか否かが判別される（ステップＳ２４）。具体的には、ＤＡＰが録音ファイルデータを記録した時間を示す記録時間情報を入出力端子部２５を介して取得し、当該取得した記録時間情報の時間範囲と、時間情報１１１Ａとが参照され、記録時間情報の時間範囲の全部又は一部が時間情報１１１Ａと重複するか否かが判別される。
【００６０】
例えば、ファイル名「０８１２１５１０１８３３．ｗａｖ」の記録時間情報の時間範囲が「２００８年１２月１５日  １０：１８：３３〜１０：５５：３３」であったとする。この場合、記録時間情報の時間範囲の全部が時間情報１１１Ａ「２００８年１２月１５日  １０：００〜１２：００」と重複する。したがって、記録時間情報の時間範囲の全部が時間情報１１１Ａに重複する（ステップＳ２４；ＹＥＳ）と判別される。
また、ファイル名「０８１２１５１４５５２１．ｗａｖ」の記録時間情報の時間範囲が「２００８年１２月１５日  １４：５５：２１〜１５：３３：１５」であったとする。この場合、記録時間情報の時間範囲の一部が時間情報１１１Ａ「２００８年１２月１５日  １５：００〜１７：００」と重複する。したがって、記録時間情報の時間範囲の一部が時間情報１１１Ａと重複する（ステップＳ２４；ＹＥＳ）と判別される。
また、ファイル名「０８１２１５１３４０３３．ｗａｖ」の記録時間情報の時間範囲が「２００８年１２月１５日  １３：４０：３３〜１４：０８：３７」であったとする。この場合、記録時間情報の時間範囲の全部又は一部は時間情報１１１Ａと重複しない。したがって、記録時間情報の時間範囲の全部又は一部が時間情報１１１Ａと重複しない（ステップＳ２４；ＮＯ）と判別される。
【００６１】
ステップＳ２４において、録音ファイルデータの時間範囲に重複するスケジュールがあると判別された場合（ステップＳ２４；ＹＥＳ）、入出力端子部２５を介してＤＡＰから録音ファイルデータが取得される（ステップＳ２４）。例えば、図４に示すファイル名「０８１２１５１０１８３３．ｗａｖ」、「０８１２１５１１０３５２．ｗａｖ」、「０８１２１５１４５５２１．ｗａｖ」の３つの録音ファイルデータが取得される。そして、録音ファイルデータの取得が完了した後、録音ファイルデータのファイル名に内容情報１１１Ｂが付与され、録音ファイルデータが記録部２４に記録される（ステップＳ２６）。例えば、「０８１２１５１０１８３３．ｗａｖ」のファイルデータに対しては、重複する時間情報１１１Ａと関連付けられた内容情報１１１Ｂ「新商品企画会議」がファイル名に付与され、記録部２４に記録される。ステップＳ２６の実行後、第２の記録処理は終了される。
【００６２】
ステップＳ２３において、スケジュールデータがないと判別された場合（ステップＳ２３；ＮＯ）、又はステップＳ２４において、録音ファイルデータの時間範囲に重複するスケジュールがないと判別された場合（ステップＳ２４；ＮＯ）、入出力端子部２５を介してＤＡＰから録音ファイルデータが取得される（ステップＳ２７）。すなわち、入出力端子部２５を介して録音ファイルデータフォルダ内の録音ファイルデータ及び当該録音ファイルデータの記録時間情報が取得される。具体的には、録音ファイルデータに記録開始時間情報がファイル名として付与された状態で取得される。例えば、録音ファイルデータフォルダ内の録音ファイルデータのファイル名が「０８１２１５１３４０３３．ｗａｖ」であった場合、ファイル名が「０８１２１５１３４０３３．ｗａｖ」のままで録音ファイルデータが取得される。そして、取得された録音ファイルデータが記録部２４に記録される（ステップＳ２８）。ステップＳ２８の実行後、第２の記録処理は終了される。
【００６３】
以上、本実施の形態によれば、外部装置（ＤＡＰ）に記録された録音ファイルデータを記録部１４に記録する場合であっても、ユーザの手間を要することなく、録音ファイルデータの内容を把握可能なファイル名を付与することができる。
【００６４】
また、記録時間情報の時間範囲の全部又は一部が時間情報と重複しない場合、ファイルデータのファイル名に記録開始時間情報が付与されたファイルデータを記録部１４に記録させることができる。
【００６５】
なお、上記実施の形態における記述は、本発明に係る記録装置、記録方法及び記録プログラムの一例であり、これに限定されるものではない。
【００６６】
例えば、第１の実施の形態において、記録装置１は、ＤＡＰとしたがこれに限定されるものではない。例えば、記録装置１は、録音機能を有するＰＤＡ（Personal Digital Assistant）やスケジュールデータを入力する機能を有する機器（オーディオ装置等）としてもよい。
【００６７】
また、第２の実施の形態において、記録時間情報の時間範囲の全部又は一部が時間情報１１１Ａに重複しない場合、オーディオ装置２は録音ファイルデータを取得しない（オーディオ装置２に録音ファイルデータがバックアップされない）こととしてもよい。
【００６８】
また、上記第２の実施の形態において、記録装置１Ａの電源がオフ状態であったとき、入出力端子部２５を介してＤＡＰとの通信接続を検知した場合に、記録装置１Ａの電源をオンにすることとしてもよい。具体的には、記録装置１Ａの電源がオフ状態であったとき、入出力端子部２５にＤＡＰが接続されると、入出力端子部２５を介してＤＡＰから接続されたことを示すコマンドがシステムマイコン２１に送信される。そして、システムマイコン２１は当該コマンドを受信することにより、ＤＡＰが入出力端子部２５に接続されたことを検知し、記録装置１Ａの電源をオンにする。このため、記録装置１Ａの電源がオフの時にＤＡＰが接続された場合であっても、ユーザは、記録装置１Ａの電源をオンにする設定を行う手間を要しない。
【００６９】
また、記録時間情報の時間範囲の重複については、一部が重複している場合であっても、時間範囲における重複の割合に基づいて内容情報１１１Ｂの付与を判断してもよい。例えば時間範囲が記録時間情報に重複している割合が時間範囲の１０％以下である場合は、内容情報１１１Ｂを付与せずに記録開始時間情報を付与することとしてもよい。
【００７０】
その他、上記実施の形態における記録装置１，１Ａの細部構成及び詳細動作に関しても、本発明の趣旨を逸脱しない範囲で適宜変更可能である。
【図面の簡単な説明】
【００７１】
【図１】本発明の第１の実施の形態に係る記録装置の構成図である。
【図２】スケジュールデータを説明する図である。
【図３】第１の記録処理の流れを示すフローチャートである。
【図４】本発明の第２の実施の形態に係る記録装置の構成図である。
【図５】ＤＡＰに記録されているデータを説明する図である。
【図６】第２の記録処理の流れを示すフローチャートである。
【符号の説明】
【００７２】
１，１Ａ      記録装置
１１，２１    システムマイコン
１２，２２    表示部
１３，２３    操作部
１４，２４    記録部
１４Ａ，２４Ｂ  メモリカード
１４Ｂ，２４Ｂ   ＵＳＢメモリ
１４Ｃ，２４Ｃ   ＨＤＤ
１４Ｄ，２４Ｄ   内蔵メモリ
１５，２５      入出力端子部
１６，２７      セレクター
１７，２８    ＡＤＣ
１８，２９    ＤＳＰ
１９，３０    ＤＡＣ
２０，３１    アンプ部
２０ａ，３２  出力端子部
２６   チューナ部
２６ａ アンテナ
３３   音声出力部
【図１】
2010129122.tif 000003
【図２】
2010129122.tif 000004
【図３】
2010129122.tif 000005
【図４】
2010129122.tif 000006
【図５】
2010129122.tif 000007
【図６】
2010129122.tif 000008